(57)【特許請求の範囲】
【請求項１】
所定のプリンタにおいてプリント出力するのに適した画像処理が施されたプリント出力用画像データ、およびプリント出力以外の他の外部出力に適した画像処理が施された、前記プリント出力用画像データにより表されるプリント画像と同一の画像についての外部出力用画像データを生成する画像生成方法において、
前記プリント出力用画像データにより表されるプリント画像の一部の領域を表す部分画像データおよび該一部の領域の位置を表す位置情報を、前記外部出力用画像データに付与することを特徴とする画像生成方法。
【請求項２】
前記一部の領域が前記プリント画像に含まれる主要被写体に対応する領域であることを特徴とする請求項１記載の画像生成方法。
【請求項３】
画像データに対して画像処理を施す画像処理方法において、
請求項１記載の画像生成方法により得られた前記外部出力用画像データに対して前記プリント出力するのに適した画像処理が施された再プリント出力用画像データを生成するに際し、前記部分画像データを参照して前記再プリント出力用画像データを生成することを特徴とする画像処理方法。
【請求項４】
所定のプリンタにおいてプリント出力するのに適した画像処理が施されたプリント出力用画像データ、およびプリント出力以外の他の外部出力に適した画像処理が施された、前記プリント出力用画像データにより表されるプリント画像と同一の画像についての外部出力用画像データを生成する画像生成装置において、
前記プリント出力用画像データにより表されるプリント画像の一部の領域を表す部分画像データおよび該一部の領域の位置を表す位置情報を、前記外部出力用画像データに付与する付与手段を備えたことを特徴とする画像生成装置。
【請求項５】
前記付与手段は、前記プリント画像に含まれる主要被写体に対応する領域を前記一部の領域とする手段であることを特徴とする請求項４記載の画像生成装置。
【請求項６】
画像データに対して画像処理を施す画像処理装置において、
請求項１記載の画像生成方法により得られた前記外部出力用画像データに対して前記プリント出力するのに適した画像処理が施された再プリント出力用画像データを生成するに際し、前記部分画像データを参照して前記再プリント出力用画像データを生成する画像処理手段を備えたことを特徴とする画像処理装置。
【請求項７】
所定のプリンタにおいてプリント出力するのに適した画像処理が施されたプリント出力用画像データ、およびプリント出力以外の他の外部出力に適した画像処理が施された、前記プリント出力用画像データにより表されるプリント画像と同一の画像についての外部出力用画像データを生成する画像生成方法をコンピュータに実行させるためのプログラムにおいて、
前記プリント出力用画像データにより表されるプリント画像の一部の領域を表す部分画像データおよび該一部の領域の位置を表す位置情報を、前記外部出力用画像データに付与する手順を有するプログラム。
【請求項８】
前記付与する手順は、前記プリント画像に含まれる主要被写体に対応する領域を前記一部の領域とする手順である請求項７記載のプログラム。
【請求項９】
画像データに対して画像処理を施す画像処理方法をコンピュータに実行させるためのプログラムにおいて、
請求項１記載の画像生成方法により得られた前記外部出力用画像データに対して前記プリント出力するのに適した画像処理が施された再プリント出力用画像データを生成するに際し、前記部分画像データを参照して前記再プリント出力用画像データを生成する手順を有するプログラム。
【発明の詳細な説明】
【０００１】
【発明の属する技術分野】
本発明は、プリント出力するのに適した画像処理が施されたプリント出力用の画像データおよびモニタ等の外部出力に適した画像処理が施された外部出力用画像データを生成する画像生成方法および装置、画像データに対して画像処理を施す画像処理方法および装置並びに画像生成方法および画像処理方法をコンピュータに実行させるためのプログラムに関するものである。
【０００２】
【従来の技術】
デジタルカメラ等の撮像デバイスにより得られた画像データや、写真フイルムに記録された画像をスキャナにより読み取ることにより得られた画像データを、プリンタやモニタのような画像再生装置において再生するシステムが知られている。このようなシステムにおいては、再生される画像の画質を向上させるために、画像データに対して様々な画像処理が施される。
【０００３】
ところで、画像再生装置において再生される画像は、その画像再生装置に応じて種々の特性を有する。例えば、画像再生装置がモニタであれば、再生された画像はモニタに特有の周波数特性や色再現特性を有する。また、画像再生装置がプリンタであれば、再生された画像はプリンタ特有の周波数特性や色再現特性を有するものとなる。このように、画像再生装置の種類に応じて再生される画像の特性（以下出力特性とする）が異なることから、画像データに対して画像処理を施す場合には、画像再生装置の出力特性を考慮する必要がある。
【０００４】
このため、ネットワーク経由でサーバから外部端末に画像データを送信するに際し、外部端末が有する画像再生装置の出力特性に応じた特性を有するように画像データに対して画像処理を施す方法が提案されている（特願２００１−２５７１６８号）。この方法によれば、外部端末に送信される画像データは、その外部端末が有する画像再生装置に適した画像処理が施されているため、その外部端末においては、その出力特性に適した画像を再生することができる。とくに、プリント出力に適した画像処理が施されたプリント出力用画像データおよびモニタ出力に適した画像処理が施されたモニタ出力用画像データの双方を生成しておけば、画像再生装置の種類に応じて随時画像データを送信できるため便利である。
【０００５】
【発明が解決しようとする課題】
ところで、モニタ用に画像処理が施されたモニタ出力用画像データをプリンタにおいてプリント出力するためには、モニタ出力用画像データに対してプリント出力するのに適した画像処理を再度施す必要がある。この場合、再度の画像処理により得られるプリント出力用画像データ（以下再プリント出力用画像データとする）は、最初からプリント出力するのに適した画像処理が施されたプリント出力用画像データと同一の画像処理が施されたものとする必要がある。しかしながら、一旦モニタ出力に適した画像処理が施された画像データは、画像処理前の画像データと比較して色情報や高周波の情報が欠落しているため、最初からプリント出力するのに適した画像処理が施されたプリント出力用画像データと同一の再プリント出力用画像データを得るための、再度の画像処理の内容を決定することは困難である。
【０００６】
この場合、再度の画像処理の内容を予め定めておいてモニタ出力用画像データに対して画像処理を施すことが考えられる。しかしながら、画像処理の内容は画像処理を行うシステムや、画像の種類によって異なるため、再度の画像処理の内容を一意に定めておいたのでは、最初からプリント出力するのに適した画像処理が施されたプリント出力用画像データと同一の再プリント出力用画像データを得ることは困難である。
【０００７】
本発明は上記事情に鑑みなされたものであり、モニタ出力に適した画像処理が施されたモニタ出力用画像データに対してプリント出力に適した画像処理を施すに際し、最初からプリント出力するのに適した画像処理が施されたプリント出力用画像データと略同一の再プリント出力用画像データを生成することを目的とする。
【０００８】
【課題を解決するための手段】
本発明による画像生成方法は、所定のプリンタにおいてプリント出力するのに適した画像処理が施されたプリント出力用画像データおよびプリント出力以外の他の外部出力に適した画像処理が施された外部出力用画像データを生成する画像生成方法において、
前記プリント出力用画像データにより表されるプリント画像の一部の領域を表す部分画像データを前記外部出力用画像データに付与することを特徴とするものである。
【０００９】
「プリント出力以外の外部出力」としては、モニタ出力、ＦＤ、ＣＤ−Ｒ等のメディアへの記録、ネットワークへの出力、ネットワーク接続された画像サーバへの出力等が挙げられる。
【００１０】
「付与する」とは、モニタ出力用画像データのファイルヘッダに記録すること、あるいはモニタ出力用画像データとは別ファイルであるが、ファイル名を共通化する等によりモニタ出力用画像データと関連付けることをいう。
【００１１】
なお、本発明による画像生成方法においては、前記一部の領域が前記プリント画像に含まれる人物の顔等の主要被写体に対応する領域であることが好ましい。
【００１２】
本発明による画像処理方法は、画像データに対して画像処理を施す画像処理方法において、
本発明の画像生成方法により得られた前記外部出力用画像データに対して前記プリント出力するのに適した画像処理が施された再プリント出力用画像データを生成するに際し、前記部分画像データを参照して前記再プリント出力用画像データを生成することを特徴とするものである。
【００１３】
本発明による画像生成装置は、所定のプリンタにおいてプリント出力するのに適した画像処理が施されたプリント出力用画像データおよびプリント出力以外の他の外部出力に適した画像処理が施された外部出力用画像データを生成する画像生成装置において、
前記プリント出力用画像データにより表されるプリント画像の一部の領域を表す部分画像データを前記外部出力用画像データに付与する付与手段を備えたことを特徴とするものである。
【００１４】
なお、本発明による画像生成装置においては、前記付与手段を、前記プリント画像に含まれる主要被写体に対応する領域を前記一部の領域とする手段としてもよい。
【００１５】
本発明による画像処理装置は、画像データに対して画像処理を施す画像処理装置において、
本発明の画像生成方法により得られた前記外部出力用画像データに対して前記プリント出力するのに適した画像処理が施された再プリント出力用画像データを生成するに際し、前記部分画像データを参照して前記再プリント出力用画像データを生成する画像処理手段を備えたことを特徴とするものである。
【００１６】
なお、本発明による画像生成方法および画像処理方法をコンピュータに実行させるためのプログラムとして提供してもよい。
【００１７】
【発明の効果】
本発明の画像生成方法および装置によれば、プリント出力用画像データおよび外部出力用画像データを生成するに際し、プリント出力用画像データにより表されるプリント画像の一部の領域を表す部分画像データが外部出力用画像データに付与される。このため、外部出力用画像データを所定のプリンタにおいてプリント出力する際には、本発明の画像処理方法および装置において、部分画像データを参照することにより、最初からプリント出力するのに適した画像処理が施されたプリント出力用画像データと略同一の再プリント出力用画像データが得られるように、再プリント出力用画像データを得るための画像処理の内容を設定することが容易となる。したがって、再プリント出力用画像データにより表される画像と、最初からプリント出力するのに適した画像処理が施されたプリント出力用画像データにより表される画像とを、容易に略同一のものとすることができる。
【００１８】
また、部分画像データをプリント画像に含まれる主要被写体に対応する領域の画像を表すものとすることにより、主要被写体について、最初からプリント出力に適した画像処理が施されたプリント出力用画像データと略同一の画像処理が施された再プリント出力用画像データを得ることができる。
【００１９】
【発明の実施の形態】
以下図面を参照して本発明の実施形態について説明する。図１は本発明の実施形態による画像生成装置を適用した画像出力装置の構成を示す概略ブロック図である。図１に示すように本実施形態による画像生成装置を適用した画像出力装置は、デジタルカメラ、プリントスキャナおよびフイルムスキャナ等の撮像手段１０において取得されたデジタルの画像データＳ０に対して画像処理を施して処理済みの画像データを得るものであり、画像データＳ０に対してプリント出力に適した画像処理を施してプリント出力用画像データＳ１を得るプリント出力用画像処理手段１と、画像データＳ０に対してモニタ出力に適した画像処理を施してモニタ出力用画像データＳ２を得るモニタ出力用画像処理手段２と、モニタ出力用画像データＳ２に対して、プリント出力用画像データＳ１により表されるプリント画像の一部の領域を表す部分画像データＳｐをモニタ出力用画像データＳ２に付与する付与手段３と、部分画像データＳｐが付与されたモニタ出力用画像データＳ２をＦＤ、ＣＤ−Ｒ等のメディアＭに記録するメディアドライブ等の記録手段４と、プリント出力用画像データＳ１をプリント出力してプリント７を得るプリンタ５とを備える。なお、メディアＭに記録されたモニタ出力用画像データＳ２はＣＲＴ、液晶等のモニタ６において表示される。
【００２０】
プリンタ５において得られるプリント７とモニタ６において再生される画像とでは、周波数特性および色空間が異なるものとなっている。このため、プリント出力用画像処理手段１およびモニタ出力用画像処理手段２は、画像データＳ０に対して、それぞれプリント出力およびモニタ出力するのに適した画像となるように画像処理を施す。
【００２１】
ここで、周波数特性について説明する。プリンタ５とモニタ６とでは、再生する画像の解像度が異なるため、１画素の大きさが異なる。例えば、６００ｄｐｉの解像度のプリンタ５と２００ｄｐｉの解像度のモニタ６とでは、１画素の大きさがモニタ６の方がプリンタ５よりも３倍大きいこととなる。このため、表示される画像の物理的な大きさがプリンタ５とモニタ６とで異なり、それを観察する視覚特性も異なることとなる。したがって、プリンタ５とモニタ６とでは、最適な画像を再生するには異なる周波数特性を有するものとする必要がある。
【００２２】
図２は観察距離が３０ｃｍの場合における輝度および色差に対する視覚特性を示す図であり、横軸は周波数、縦軸はコントラスト認知度すなわち視覚感度である。なお、実線が輝度の特性を、破線が色差の特性をそれぞれ示す。図２の実線に示すように、観察距離が３０ｃｍの場合、１cycle/mm付近に視覚感度のピークを有し、それ以上の周波数では視覚感度は下がる。したがって、プリンタ５において画像を再生する場合、１cycle/mm以上に相当する周波数帯域を強調することが好ましい。
【００２３】
ところが、モニタ６において画像を再生する場合、モニタ６の画素サイズがプリンタ５の約３倍であると、プリンタ５において１cycle/mmに相当する情報は、モニタ６においては０．３３cycle/mmに相当する。したがって、プリンタ５において画像を再生する場合と同様の処理が施されたプリント出力用画像データＳ１をモニタ６において再生すると、元々よく見えていた１cycle/mmに相当する信号が強調されすぎてしまい、却ってノイズ等が目立ってしまうこととなる。したがって、モニタ出力用画像データＳ２を得るためには、プリント出力用画像データＳ１を得る場合とは強調される周波数帯域が異なる特性を有するように、画像データＳ０に対して画像処理を施す必要がある。
【００２４】
また、色空間については、プリンタ５とモニタ６とでは色再現域（ダイナミックレンジおよび色度域）が異なる。したがって、プリンタ５またはモニタ６において再生される画像データに色再現域外の情報が含まれていても、プリンタ５またはモニタ６においてはその情報は再生することができないことから、プリンタ５またはモニタ６の色再現域に応じて、画像データＳ０により表される画像における色再現域外の情報を圧縮したり、異なる色空間マッピングを行って色再現域外の情報を色再現域内に表現する必要がある。
【００２５】
このため、プリント出力用画像処理手段１においては、プリンタ５において再生される画像の周波数特性および色再現域を考慮した画像処理が画像データＳ０に対して施され、プリント出力用画像データＳ１が得られる。一方、モニタ出力用画像処理手段２においては、モニタ６において再生される画像の周波数特性および色再現域を考慮した画像処理が画像データＳ０に対して施されて、モニタ出力用画像データＳ２が得られる。
【００２６】
付与手段３は、プリント出力用画像データＳ１により表されるプリント画像から、人物の顔等の主要被写体に対応する部分領域を切り出し、その切り出した部分領域に対応する部分画像データＳｐを、切り出した位置を表す位置情報Ｐとともにモニタ出力用画像データＳ２に付与する。
【００２７】
ここで、モニタ出力用画像データＳ２のファイルヘッダに部分画像データＳｐおよび位置情報Ｐを記録することにより、モニタ出力用画像データＳ２に部分画像データＳｐを付与することができる。また、モニタ出力用画像データＳ２とは別ファイルであるが、ファイル名を共通化する等してモニタ出力用画像データＳ２と部分画像データＳｐおよび位置情報Ｐとを関連付けることにより、部分画像データＳｐおよび位置情報Ｐをモニタ出力用画像データＳ２に付与してもよい。
【００２８】
なお、主要被写体を切り出す方法としては、所定の大きさの領域の中心点を、画像の動き、主要被写体の輪郭線の傾きおよび／または色に基づいて主要被写体の位置へ移動させ、この中心点を基準として主要被写体の大きさおよび／または形状に応じて主要被写体を抽出するか、または、画像全体のポテンシャル場のマップを作成し、マップ中のポテンシャルの極小点を基準として主要被写体を抽出する等の方法（特開平５−２１０７３９号公報）、顔等の主要被写体の、例えば目や口等の複数の特徴部分について複数の特徴パターンをニューラルネットワークに学習させ、主要被写体候補と特徴部分が、学習された複数の特徴パターンに含まれるか否かを判定し、主要被写体候補の特徴部分の位置関係が主要被写体の特徴部分の位置関係と一致するか否かを判定することにより、主要被写体候補が主要被写体であるか否かを判定し、主要被写体であると判定された主要被写体候補を抽出する方法（特開平５−２８２４５７号公報）等を用いることができる。
【００２９】
また、主要被写体が顔である場合には、画像を複数領域に分割し、非人物領域を除外した後に人物の頭部の輪郭を表す形状パターンを検出し、検出したパターンに応じて顔候補領域を検出し、さらに人物の顔の輪郭を表す形状パターン、顔の内部構造を表す形状パターンおよび人物の胴体の輪郭を表す形状パターンをそれぞれ検出し、検出したパターンにより顔候補領域の整合性を判定し、人物の顔に相当する領域である確度が最も高い領域を判定することにより、顔領域を抽出する方法（特開平８−１２２９４４号公報）、画像を複数領域に分割して測光し、測光により得られたデータを色相および彩度に変換し、これらの２次元ヒストグラムを作成するとともに、このヒストグラムを単峰の山毎に分解し、さらに画像の各画素がいずれの山に属するかを判定して画素を分割された山に対応する群に分解し、各群毎に画像を分割して顔候補領域を抽出し、抽出した領域の画像サイズと主要画像サイズ情報から得られる画像サイズとを比較して最も一致する領域を顔領域として抽出する方法（特開平５−１００３２８号公報）等を用いてもよい。
【００３０】
また、主要被写体に限らず、プリント出力用画像データＳ１により表されるプリント画像の中央部分の予め定められた領域を切り出して部分画像データＳｐとしてもよい。
【００３１】
ここで、切り出す領域の大きさとしては、プリント出力用画像データＳ１により表されるプリント画像の縦横それぞれ１／８程度のサイズの領域とすればよい。
【００３２】
次いで、本実施形態による画像生成装置の動作について説明する。図３は本実施形態による画像生成装置の動作を示すフローチャートである。図３に示すように、まず、プリント出力用画像処理手段１において、画像データＳ０に対してプリント出力用の画像処理が施されてプリント出力用画像データＳ１が得られる（ステップＳ１）。一方、モニタ出力用画像処理手段２において、画像データＳ０に対してモニタ出力用の画像処理が施されてモニタ出力用画像データＳ２が得られる（ステップＳ２）。なお、ステップＳ１およびステップＳ２の処理を逆に行ってもよい。また、演算時間短縮のため、ステップＳ１およびステップＳ２の処理を並列に行うことが好ましい。
【００３３】
そして、付与手段３において、プリント出力用画像データＳ１から部分画像データＳｐが切り出され、切り出された部分画像データＳｐがその位置情報Ｐとともにモニタ出力用画像データＳ２に付与される（ステップＳ３）。部分画像データＳｐおよび位置情報Ｐが付与されたモニタ出力用画像データＳ２は、記録手段４においてメディアＭに記録される（ステップＳ４）。一方、プリント出力用画像データＳ１はプリンタ５においてプリント出力され（ステップＳ５）、これによりプリント７が得られ、処理を終了する。なお、プリント出力用画像データＳ１のプリント出力は、プリント出力用画像データＳ１が得られた後であればどの段階において行ってもよい。
【００３４】
次いで、上述したように得られたモニタ出力用画像データＳ２に対して、プリント出力に適した画像処理を施す画像処理装置の実施形態について説明する。図４は本発明の実施形態による画像処理装置を適用した画像出力装置の構成を示す概略ブロック図である。図４に示すように、本実施形態による画像処理装置を適用した画像出力装置は、メディアＭに記録されたモニタ出力用画像データＳ２（部分画像データＳｐおよび位置情報Ｐが付与されたもの）に対してプリント出力に適した画像処理を施して再プリント出力用画像データＳ３を得るものであり、メディアＭからモニタ出力用画像データＳ２を読み出す読出手段１１と、モニタ出力用画像データＳ２における部分画像データＳｐに対応する領域の画像データ（以下対応画像データＳｃ０とする）に対して複数種類の画像処理またはパラメータを変更した画像処理を施すことにより、ｎ個の処理済み対応画像データＳｃｋ（ｋ＝１〜ｎ）を得る対応画像処理手段１２と、対応画像データＳｃｋと部分画像データＳｐとを比較する比較手段１３と、比較手段１３における比較結果Ｒに基づいて、モニタ出力用画像データＳ２に対してプリント出力に適した画像処理を施して再プリント出力用画像データＳ３を得る再画像処理手段１４と、再プリント出力用画像データＳ３をプリント出力してプリント８を得るプリンタ１５とを備える。
【００３５】
対応画像処理手段１２においては、対応画像データＳｃ０に対して、複数種類の画像処理またはパラメータを変更した画像処理が施される。具体的には、強調度を段階的に変更した周波数強調処理、コントラストに応じて強調度を段階的に変更した非線形の周波数強調処理等が施され、複数の処理済み対応画像データＳｃｋが得られる。
【００３６】
比較手段１３においては、複数の処理済み対応画像データＳｃｋと部分画像データＳｐとの比較を行う。具体的には、各処理済み対応画像データＳｃｋにより表される処理済み対応画像と部分画像データＳｐにより表される部分画像との相対応する画素の差分値を求め、全画素における差分値の総和を算出する。そして、部分画像との差分値の総和が最も小さい処理済み対応画像を表す処理済み対応画像データＳｃｋに施された画像処理の種類または画像処理パラメータが選択され、選択された画像処理の種類または画像処理パラメータが比較結果Ｒとして出力される。
【００３７】
再画像処理手段１４においては、比較手段１３から出力された比較結果Ｒに基づいて、モニタ出力用画像データＳ２に対して画像処理が施されて再プリント出力用画像データＳ３が得られる。
【００３８】
次いで、本実施形態による画像処理装置の動作について説明する。図５は、本実施形態による画像処理装置の動作を示すフローチャートである。まず、読出手段１１においてメディアＭから部分画像データＳｐおよび位置情報Ｐが付与されたモニタ出力用画像データＳ２が読み出される（ステップＳ１１）。次いで、対応画像処理手段１２において、対応画像データＳｃ０に対して複数種類の画像処理またはパラメータを変更した画像処理が施されてｎ個の処理済み対応画像データＳｃｋが得られる（ステップＳ１２）。ｎ個の処理済み対応画像データＳｃｋは比較手段１３に入力され、ここで部分画像データＳｐとの比較が行われて比較結果Ｒが出力される（ステップＳ１３）。そして、再画像処理手段１４において、比較結果Ｒに基づいてモニタ出力用画像データＳ２に対して画像処理が施されて再プリント出力用画像データＳ３が得られ（ステップＳ１４）、処理を終了する。再プリント出力用画像データＳ３はプリンタ１５においてプリント出力され、プリント８が得られる。
【００３９】
このように、本実施形態によれば、プリント出力用画像データＳ１およびモニタ出力用画像データＳ２を生成するに際し、プリント出力用画像データＳ１により表されるプリント画像の一部の領域を表す部分画像データＳｐがモニタ出力用画像データＳ２に付与される。このため、モニタ出力用画像データＳ２をプリント出力する際には、本実施形態による画像処理装置において、部分画像データＳｐを参照することにより、最初からプリント出力するのに適した画像処理が施されたプリント出力用画像データＳ１と略同一の再プリント出力用画像データＳ３が得られるように、再プリント出力用画像データＳ３を得るための画像処理の内容を設定することが容易となる。したがって、再プリント出力用画像データＳ３により表される画像と、最初からプリント出力するのに適した画像処理が施されたプリント出力用画像データＳ１により表される画像とを、容易に略同一のものとすることができる。
【００４０】
なお、上記実施形態においては、プリント出力用画像データＳ１とモニタ出力用画像データＳ２とを生成しているが、モニタ出力用画像データＳ２に代えて、ネットワークへの出力、ネットワーク接続された画像サーバへの出力等に適した画像処理が施された画像データを生成してもよい。
【図面の簡単な説明】
【図１】 本発明の実施形態による画像生成装置を適用した画像出力装置の構成を示す概略ブロック図
【図２】 観察距離が３０ｃｍの場合における輝度および色差に対する視覚特性を示す図
【図３】 本実施形態による画像生成装置の動作を示すフローチャート
【図４】 本発明の実施形態による画像処理装置を適用した画像出力装置の構成を示す概略ブロック図
【図５】 本実施形態による画像処理装置の動作を示すフローチャート
【符号の説明】
１    プリント出力用画像処理手段
２    モニタ出力用画像処理手段
３    付与手段
４    記録手段
５，１５    プリンタ
６    モニタ
１０    撮像手段
１１    読出手段
１２    対応画像処理手段
１３    比較手段
１４    再画像処理手段
【図１】
0004046509.tif 000002
【図２】
0004046509.tif 000003
【図３】
0004046509.tif 000004
【図４】
0004046509.tif 000005
【図５】
0004046509.tif 000006